Podtech/llm-jp-corpus-v4-ja_patent huggingface dataset:
(57)【要約】【課題】  材質の異なる長尺印刷物二枚、または、数枚同じ印刷位置にて、合わせ重ねることが困難である。  異なる長尺印刷物二枚、または、数枚同じ印刷位置にて、合わせ重ねるために、長尺印刷物を長手方向と平行二つ折り、または、三つ折りにする方法を用いている。【解決手段】  解決手段として、第１繰り出し機構と第２繰り出し機構を設け、さらに、第１印刷位置を第１センサーにて検出して、第２印刷位置を第２センサーにて検出する機構を設ける。  第１繰り出し機構と第２繰り出し機構を同回転機構とする、さらに、第１センサーと第２センサーの検出が異なる検出によって第２繰り出し機構の回転機構を加減速させて印刷位置を調整する機構を設ける。【選択図】図１
2012166948.tif 000002
【特許請求の範囲】
【請求項１】
第１繰り出し機構と第２繰り出し機構を設け、さらに、第１印刷位置を第１センサーにて検出する機構、第２印刷位置を第２センサーにて検出する機構を設けることを特徴とする印刷合わせ装置。
【請求項２】
第１繰り出し機構と第２繰り出し機構を同回転機構とする、さらに、第１センサーと第２センサーの検出が異なる検出によって第２繰り出し機構の回転機構を加減速させて印刷位置を調整する機構を設けることを特徴とする印刷位置合わせ装置。
【発明の詳細な説明】
【発明の詳細な説明】
【技術分野】
【０００１】  本発明は、長尺印刷物の印刷位置合わせを行う装置に関する物である。
【従来の技術とその問題点】
【０００２】  材質の異なる長尺印刷物二枚、または、数枚同じ印刷位置にて、合わせ重ねることが困難である。
【０００３】  異なる長尺印刷物二枚、または、数枚同じ印刷位置にて、合わせ重ねるために、長尺印刷物を長手方向と平行二つ折り、または、三つ折りにする方法を用いている。
【０００４】  上記の問題点と、複雑な装置を解決することを課題とする。
【発明の開示】
【発明が解決しょうとする課題】
【０００５】  従来の技術とその問題点によって、材質の異なる長尺印刷物二枚、または、数枚同じ印刷位置にて、合わせ重ねることを容易にすることを解決する課題である。
【０００６】  異なる長尺印刷物二枚、または、数枚同じ印刷位置にて、合わせ重ねるために、長尺印刷物を長手方向と平行二つ折り、または、三つ折りにする方法を用いている。
【０００７】  上記の問題点と、複雑な装置を解決することを課題とする。
【発明が解決するための手段】
【０００８】  解決手段として、第１繰り出し機構と第２繰り出し機構を設け、さらに、第１印刷位置を第１センサーにて検出して、第２印刷位置を第２センサーにて検出する機構を設ける。
【０００９】  第１繰り出し機構と第２繰り出し機構を同回転機構とする、さらに、第１センサーと第２センサーの検出が異なる検出をすると第２繰り出し機構の回転機構を加減速させて印刷位置を調整する機構を設ける。
【発明を実施するための最良の形態】
【００１０】  以下、本発明を実施するための最良の形態について、図面を参照して具体的に説明する。【００１１】  異なる長尺印刷物二枚、または、数枚同じ印刷位置にて、合わせ重ねることを容易にする。【００１２】  異なる長尺印刷物１を第１巻き取り台に設置する、異なる長尺印刷物２を第２巻き取り台に設置する。【００１３】  第１巻き取り台より、印刷物Ａを取り出し、第１繰り出し機構３にて繰り出す。【００１４】  第１センサー５にて印刷物Ａの印刷位置を検出する。【００１５】  第２巻き取り台２より、印刷物Ｂを取り出し、第２繰り出し機構４にて繰り出しす。【００１６】  第２センサー６にて印刷物Ｂの印刷位置を検出する、このときに、第１センサー５と第２センサ６の検出位置が異なる時に、第２繰り出し機構４の回転機構を加減速させて、印刷位置を調整して印刷位置を合わせる。【００１７】  上記印刷位置を合わされた印刷物Ａ，Ｂを第１繰り出し機構３後、印刷位置の合わされた印刷物Ａ，Ｂを完成品７として巻き取る。【００１８】  上記印刷位置の合わされた印刷物Ａ，Ｂを完成品７として、巻き取り機構７、または、切断、製袋機構に用いる。
【発明の効果】
【産業上の利用可能性】
【００１９】  材質の異なる長尺印刷物二枚、または、数枚同じ印刷位置にて、合わせ重ねるために、長尺印刷物を長手方向と平行二つ折り、または、三つ折りにする方法を用いている。【００２０】  本発明を用いると、材質の異なる長尺印刷物を二枚、または、数枚同じ印刷位置に合わせ重ねる事が容易に出来る。【００２１】  異なる長尺印刷物を数枚同じ印刷位置に重ね合わせて、同時切断を行うと、一度に複数枚切断することが出来る。【００２２】  または、異なる印刷物を二枚合わせて、製袋を行うと、袋の裏表異なった材質、または、異なった印刷模様の袋が容易に製袋することが出来る。【００２３】  上記の方法にて、産業上の利用価値が多く、非常に容易に大量の異なる印刷物の加工が出来る。
【図面の簡単な説明】
【００２４】
【図１】本発明の一例を示す平面図である。
【符号の説明】
【００２５】１  印刷物Ａ
２  印刷物Ｂ
３  第１繰り出し機構
４  第２繰り出し機構
５  第１センサー
６  第２センサー
７  印刷物Ａ，Ｂ完成品
Ａ  印刷物Ａ
Ｂ  印刷物Ｂ
Ｄ  第１繰り出し機構用モーター
Ｅ  第２繰り出し機構用モーター
【図１】
2012166948.tif 000003
(57)【要約】【課題】  ゴミ袋に塵取り機能、ゴミ飛散防止機能、開口保持機能、閉口保持機能を持たせ、掃き掃除作業の簡略化と時間短縮を課題とする。【解決手段】  袋口に本発明品の袋口開閉具を取り付けることで、袋口に多角形の開口状態を作り、また本発明品の頂点で接する二辺を閉じ合わせることで閉口保持が片手で行え、また接する二辺をスライダー（Ｃ）で直線に固定することで変化しない多角形として投入用袋として、掃き込み用塵取りとして使用し、掃き掃除作業の簡略化と時間短縮を可能とする。【選択図】図１
2012166949.tif 000002
【特許請求の範囲】
【請求項１】
任意の素材で出来た任意の場所で折り曲げ可能な頂点作れる多角形のフレーム状の袋口開閉具で、袋口に本発明品を任意の方法で取り付け使用することで、折り曲げ可能な頂点を支点として片手で袋口を開閉する道具である。
【請求項２】
ゴミの掃き込み、投入作業時にフレームを適切な多角形に固定するためにスライダー（Ｃ）を取り付け、その中心を接する２辺の頂点で止め直線状に固定することで袋口の開口状態を保つ請求項１の袋口開閉具である。
【請求項３】
任意の素材がダンボールである事を特長とする請求項１の袋口開閉具である。
【発明の詳細な説明】
【技術分野】
【０００１】  本発明は袋の口に取り付け、掃き掃除作業の高効率化を図る道具に関する物である。
【背景技術】
【０００２】  従来の１人での掃き掃除の作業は左手と右手に塵取りと箒、袋とトング又は素手、袋と塵取りを持った多種の作業で、小さなゴミは箒で塵取りに掃き込み、塵取りにゴミが溢れると箒を袋に持ち替え袋に投入、大きめのゴミはトングや素手で摘み袋へ、などゴミの状態により多種の道具が必要で、状況により持ち替える必要があり、かつ片手で保持するゴミ袋の口の巾は手の巾で、塵取りの巾を確保出来ない。
また袋の口を閉じる方法は袋口の結び閉じが唯一の方法で、開閉口に時間を要し、瞬時の開閉口の方法が無く、かつ結び閉じにより袋口が変形しゴミの投入がし辛くなる。【０００３】  動物の糞を収集、処理する為の道具がある（米抄２００２／０１３０５２２号公報参照）
【発明の開示】
【発明が解決しようとする課題】
【０００４】  掃き掃除作業時に塵取り具を無くすることで道具の持ち替えを無くし、袋口の簡易な開閉方法により作業の簡略化と時間の短縮化を課題とする、【０００５】  そこで本課題を解消する為に袋を片手で保持し、袋口を片手で開閉出来、袋に塵取り具機能を持たせ、またゴミ袋として使用可能に出来る道具を目的としている。
【課題を解決するための手段】
【０００６】  以上の課題を解決するための、
第一の発明は、任意の素材で出来た、任意の位置で折り曲げ可能な頂点を作れる多角形のフレーム状の袋口開閉具で、袋口にこのフレームを任意の方法で取り付け、折り曲げ可能な頂点を支点に片手で辺を回転させ袋口を開閉することが出来る道具である。図−４（ａ）（ｂ）（ｃ）（ｄ）。
第二の発明は第一の発明の袋口開閉具の頂点を支点とする辺の回転止をめるスライダー（Ｃ）で、スライダー（Ｃ）の中心を、接する２辺の頂点で止め、２辺を直線状に固定して袋口の開口形状を保ち、塵の掃き込み、投入の作業が安定して出来る様にする袋口開閉具である。
第三の発明は任意の素材がダンボールである事を特長とする第一の発明に記載の袋口開閉具で有る。
【発明の効果】
【０００７】  掃き掃除作業時に本発明品の袋口開閉具を袋口に取り付け使用することで、塵取り具が不要となり、塵取り具作業に伴う道具の持ち替え動作が無くなる。また袋口の結び閉開作業が袋口開閉具で片手で簡易に出来る事で、掃除道具の削減、作業の簡略化、作業時間の短縮が出来、かつ袋口開閉具を取り付けた袋を片手で複数個保持する事で可燃、不燃、ＰＥＴ等のゴミの回収、分別作業が１人で可能になる。
【発明を実施するための最良の形態】
【０００８】  図−１  は本発明品に袋を取り付け、ゴミの袋への掃き込み、投入が可能な状態の全体の斜視図である。【０００９】  図−２  は本発明品に袋を取り付け、袋口を閉鎖した状態の全体の斜視図である。【００１０】  図−３−（ａ）（ｂ）（ｃ）（ｄ）  は本発明品が同一の素材で出来た、任意の場所で折り曲げ可能な複数の頂点を持つ多角形のフレームであることを表した斜視図である。【００１１】  図−４−（ａ）（ｂ）（ｃ）（ｄ）  は本発明品がスライダーの中心を隣接辺の頂点で止め、２辺を直線状に固定する事で、多種の多角形の形成が可能である事を表した平面図である。【００１２】  図−５  はスライダー（Ｃ）が板状の材料を折り曲げて出来た溝に沿い辺と辺の間を移動することが可能な構造である事を表した断面図である。【００１３】  図−６−（ａ）（ｂ）（ｃ）  は本発明品が固定開口状態から固定閉口状態に移行する方法を記載した斜視図である。【００１４】  図−７  は袋固定切り込みの詳細図である【００１５】  「他の実施形態−１」
袋口開閉具と袋の他の取付方法は、フレームの外周の長さを増減できる機能を利用し袋口をフレームで拡張し袋のテンションで固定することも考えられる。
「他の実施形態−２」
袋口開閉具と袋の他の取付方法は、フレームと袋を接着剤や両面テープなどでで固定することも考えられる。
「他の実施形態−３」
袋口開閉具と袋の他の取付方法は、フレームと袋を同一素材で同時に成形することも考えられる。
「他の実施形態−４」
袋口開閉具の他の利用方法として、物を投入後、閉口状態のフレームに袋を巻き付けることで粉体などの飛散物、臭いを発する物体、飛び散る恐れのある液体等の収集、簡易運搬用にも使用できる。
「他の実施形態−５」
袋口開閉具の閉口状態の固定方法は輪ゴムのストッパー以外に、マジックテープ、マグネット、各種クリップなどがあげられる。
「他の実施形態−６」
簡素化した構造は簡単な組み立て作業で製品化でき、身体障害者支援施設の作業場などでの組立作業を前提としている。
「他の実施形態−７」
袋口開閉具の大きさは取り付ける袋の開口部の大きさに適するサイズとする。
【符号の説明】
【００１６】Ａ  袋口開閉具
Ｂ  袋
Ｃ  スライダー
１，２，３，４  袋口開閉具部
５  溝レール
６  袋口端固定切り込み
７  ストッパー輪ゴム等
【図面の簡単な説明】
【００１７】
【図１】本発明の斜視図  袋は開閉具に袋を装着し開口した状態
【図２】袋口開閉具に袋を装着し閉口した状態
【図３】（ａ）（ｂ）（ｃ）（ｄ）袋口開閉具部材組立図−１
【図４】（ａ）（ｂ）（ｃ）（ｄ）袋口開閉具とスライダーの関係
【図５】袋口開閉具１、２、３、４の断面形状とスライダーｃの形状
【図６】袋口開閉具の開口と閉口と閉口状態の継持の方法
【図７】（６）の袋口端固定切り込み詳細、
【図１】
2012166949.tif 000003
【図２】
2012166949.tif 000004
【図３】
2012166949.tif 000005
【図４】
2012166949.tif 000006
【図５】
2012166949.tif 000007
【図６】
2012166949.tif 000008
【図７】
2012166949.tif 000009
(57)【要約】      （修正有）【課題】封筒の内側の広い未使用の紙面にぬり絵の線画を施し、封筒を受け取った人に楽しんで貰う役目を付加し、且、材料の有効利用をしようとするものである。ダイレクトメールの封筒に使用すると開封を促す効果が生じ、且、商品の宣伝効果も大きくなる。【解決手段】封筒の蓋（１）の折線部、縦の糊しろ（２）の折線部、底（３）の折線部に、夫々切り取り線（４・５・６）を施す。ペーパーナイフ等で切り取り線（４・５・６）に沿って開封展開し、約２倍の面積の未使用の封筒の内側（７）に施されたぬり絵の線画（８）を楽しんで貰う役目を付加するものである。【選択図】図１
2012166846.tif 000002
【特許請求の範囲】
【請求項１】
（イ）蓋（１）の折線の左端部・右端部・及び中間部、縦の糊しろ（２）の折線の上端部・下端部・及び中間部、底（３）の折線の左端部・右端部・及び中間部を除き、折線に沿って切り取り線（４・５・６）を封筒に施す。
（ロ）封筒の内側（７）に、ぬり絵の線画（８）を施す。
（イ）、（ロ）からなる封筒。
【発明の詳細な説明】
【発明の詳細な説明】
【技術分野】
【０００１】  本発明は、封筒に関する。
【従来の技術分野】
【０００２】  従来の封筒は、物を入れる役目に限定されている。
【発明が解決しようとする課題】
【０００３】  物を入れる役目の他に、更に楽しく遊べる機能を附与しようとするものである。
【課題を解決するための手段】
【０００４】（イ）蓋（１）の折線の左端部、右端部、及び中間部、縦の糊しろ（２）の折線の上端部、下端部、及び中間部、底（３）の折線の左端部、右端部、及び中間部を除き、折線に沿って切り取り線（４・５・６）を封筒に施す。
（ロ）封筒の内側（７）に、ぬり絵の線画（８）を施す。
【発明実施の形態】
【０００５】  封筒を受け取った人が、蓋（１）の折線、縦の糊しろ（２）の折線、底（３）の折線をペーパーナイフ等で切って開封展開し内容物を取り出した後、封筒の約２倍の面積の封筒の内側（７）に施されたぬり絵の線画（８）を色鉛筆などで仕上げながら楽しむ事が出来る。
尚、蓋（１）の折線、縦の糊しろ（２）の折線、底（３）の折線に夫々切り取り線（４・５・６）を端から端まで施すと、配送中に破れて内容物が破損する恐れもあるので、夫々折線の両端部と中間部には切り取り線を施さない部分を設ける。
【実施例】
【０００６】  予め、封筒に「封筒の内側にぬり絵の線画を印刷内蔵している」旨、表示しておく。
【発明の効果】
【０００７】  封筒の約２倍の面積の封筒の内側（７）を有効利用出来る上、子供は言うまでもなく、大人も童心に返って家族一緒にぬり絵を楽しむ事が出来る。
ダイレクトメールの封筒に使用すると開封を促す効果が生じ、且、商品の宣伝効果も大きくなる。
【図面の簡単な説明】
【図１】  裏から見た本封筒の展開図
【図２】  裏から見た本封筒の平面図
【図１】
2012166846.tif 000003
【図２】
2012166846.tif 000004
【手続補正書】
【提出日】平成23年3月29日(2011.3.29)
【手続補正１】
【補正対象書類名】図面
【補正対象項目名】全図
【補正方法】変更
【補正の内容】
【図１】
2012166846.tif 000005
【図２】
2012166846.tif 000006
(57)【要約】【課題】  料理をするにあたり、醤油などで味を整えるために、その都度大さじ一杯や小さじ一杯をそれぞれの計量器に移し分量を計り、手間が掛かっていた。  本発明は、料理を簡単に効率よくするための計量機能付きキャップを提供する。【解決手段】  ボトルに取付けるネジ山を設け、大・中・小・任意量のそれぞれの空間を設け、それぞれの空間に繋がるストロー状の筒を設け、回転式（スライド式）の蓋の４分の１に半開、全開する開閉式の注ぎ口を設け、その下部に突起を設けたことを特徴とする計量機能付きキャップ。【選択図】図１
2012166843.tif 000002
【特許請求の範囲】
【請求項１】
キャップに大・中・小・任意量のそれぞれの空間を設け、それぞれの空間に繋がるストロー状の筒を設け、回転式の蓋の４分の１に半開、全開する開閉式の注ぎ口を設け、その下部に突起を設けたことを特徴とする計量機能付きキャップ。
【発明の詳細な説明】
【技術分野】
【０００１】  本発明は、計量器を使用せず取付けのみで任意容量若しくは一定容量を注ぐことの出来る計量機能付きのキャップである。
【背景技術】
【０００２】  従来、料理をする際に醤油、調理酒やみりんなどを目分量若しくは計量器に入れ計り料理をしていた。
【先行技術文献】
【０００３】
【特許文献１】  特開２００１−１６３３７８
【発明の概要】
【発明が解決しようとする課題】
【０００４】  料理をするにあたり、醤油などで味を整えるために、その都度大さじ一杯や小さじ一杯をそれぞれの計量器に移し分量を計り、手間が掛かっていた。
本発明は以上の問題点を解決するものである。
【課題を解決するための手段】
【０００５】  ボトルに取付けるネジ山を設け、大・中・小・任意量のそれぞれの空間を設け、それぞれの空間に繋がるストロー状の筒を設け、回転式の蓋の４分の１に開閉式の注ぎ口を設け、その下部に突起を設ける。
以上の構成によりなる計量機能付きキャップ。
【発明の効果】
【０００６】  キャップを市販されている醤油などのボトル本体と一体化させることにより、その都度計量器に入れ分量を計る作業や洗い物をする手間を省くことが出来る。また、昨今の経済状況により、節約志向の人間が増え料理をする人口が増えたこと、そして雑誌やテレビなどで料理に関する情報も多くなり、料理を始める男性も増え、初心者にも簡単に馴染むことが出来る。
【図面の簡単な説明】
【０００７】
【図１】本発明の断面図
【図２】本発明の断面図
【図３】本発明の斜視図
【図４】本発明の斜視図
【発明を実施するための形態】
【０００８】  以下、本発明の実施の形態を説明する。
（イ）市販の醤油等のボトルに接続するためのねじ山（１）を設ける。
（ロ）キャップ内部に大さじ一杯（２）、中さじ一杯（３）、小さじ一杯（４）任意量（５）のそれぞれの空間を設ける。
（ハ）キャップ内部にそれぞれの空間に繋がるストロー状の筒（６）を設ける。
（ニ）キャップの上部に回転式の蓋（７）を設ける。
（ホ）キャップの蓋（７）の４分の１に半開、全開する開閉式の注ぎ口（８）を設ける。
（ヘ）キャップの蓋（７）の下部に突起（９）を設け、その内、開閉式の注ぎ口（８）の下部のみ注ぎ口（８）と連結した突起（１０）を設ける。
本発明は以上のような構造である。
本発明を使用するときは、市販の醤油、調理酒、みりんなどのボトルにキャップ本体のねじ山（１）を接続し使用する。
この時、大さじ一杯を計量する際は、開閉式の注ぎ口（８）を大さじ一杯の空間の上に持ってくると、突起（９）が中さじ、小さじ、任意量のそれぞれの空間に繋がるストロー状の筒（６）を塞ぎ、大さじ一杯の空間（２）にのみ液体が流れ込むことになる。平行にすると、自動的に大さじ一杯の量が残り、開閉式の注ぎ口（８）を全開にすると突起（１０）が大さじ一杯の空間に繋がるストロー状の筒（６）を塞ぎ、注いでもそれ以上の量は出ないことになる。中さじ、小さじ一杯を計量する際も同様の作業を行う。（開閉式の注ぎ口（８）の半開は、任意量を注ぐ時に使用する。）
任意量（５）については、大、中、小さじ一杯らの空間と異なり、液体が溜まるスペースがなく平行にすると自動的にボトルに戻る構造となっている。
【符号の説明】
【０００９】  １ねじ山、２大さじ一杯の空間、３中さじ一杯の空間、４小さじ一杯の空間、５任意量の空間、６ストロー状の筒、７回転式の蓋、８開閉式の注ぎ口、９突起、１０突起
【図１】
2012166843.tif 000003
【図２】
2012166843.tif 000004
【図３】
2012166843.tif 000005
【図４】
2012166843.tif 000006
(57)【要約】【課題】今までの帽子は、熱遮断、熱反射、太陽光反射するものが少なく、強い日差しの中での屋外活動では頭部が非常に熱くなり、レジャー、農作業、庭仕事で熱射病の危険が伴った。【解決手段】熱遮断、熱反射、太陽光反射を積層シート材で実現し、補強材で補強し、あご紐で固定することで安定させ、強い日差しから頭部を守り、レジャー、農作業、庭仕事を快適にする円形熱反射帽子。【選択図】図１
2012072529.tif 000002
【特許請求の範囲】
【請求項１】
積層シート材（１）の裏面の周縁部に補強材（２）を設け、積層シート材（１）の中心と対称に補強材（３）をそれぞれ設け、前記の補強材（３）の中心部に受け部（３ａ）を設け、最外部に補強材（５）を設け、あご紐（４）を前記の補強材（５）で挟み接着したことを特徴とする熱反射帽子。
【発明の詳細な説明】
【技術分類】
【０００１】本発明は、レジャー、農作業、庭仕事などの屋外での活動で、強い日差しによる熱射病の危険を防止する熱反射帽子である。
【背景技術】
【０００２】今までの帽子は、熱遮断、熱反射、太陽光反射するものが少なく、強い日差しの中での屋外活動で熱射病の危険があった。
【発明の概要】
【発明が解決しようとする課題】
【０００３】強い日差しの中での屋外活動には熱射病の危険があり、日傘や帽子を着用していたが、熱遮断、熱反射、太陽光反射するものが少なく、着用していても熱射病の危険が伴っていた。
本発明は、上記の問題を解決するためになされたものです。
【課題を解決するための手段】
【０００４】熱遮断、熱反射、太陽光反射を積層シート材（例、アルミ蒸着シート積層フィルムシートなど）で実現する、なお、強度を補うため補強材（例、プラスチック材又は発泡ポリエチレン材など）を接着し、あご紐を付け風などでの飛散を防止する。
【発明の効果】
【０００５】従来、強い日差しの中での屋外活動には、日傘や帽子を着用していても熱射病の危険が伴っていたが、本発明により熱射病の危険を防止することができる、また、軽量で外側に二つ折りすることもでき、急な雨にも対応できる。
【図面の簡単な説明】
【０００６】
【図１】本発明の底面図
【図２】本発明の折り曲げ図
【図３】本発明の着用図
【発明を実施するための形態】
【０００７】以下、本発明の実施の形態を説明する。
（イ）積層シート材（例、アルミ蒸着シート積層フィルムシートなど）（１）で熱反射、熱遮断、太陽光反射など頭部を熱中症などから守る。
（ロ）補強材（例、プラスチック材又は発泡ポリエチレン材など）（２）を外周に接着する。外周に設けた補強材を２本用いることで二つ折にできる、補強材を一本にした場合は二つ折にできないため２本にした。なお、補強材（２）同士には隙間を設ける。
（ハ）積層シート材（１）を中心に、補強材（３）を対称に設ける。
この時、積層シート材（１）の中心とは、二つ折にした時の折り曲げ位置である。補強材（３）の中心付近には、実施時、頭頂部に相当する位置に受け部（３ａ）を設ける。
（ニ）あご紐（例、科学繊維又は天然繊維など）（４）は、前後左右のずれを防止するため、２本を縦に敷き、その上に補強材（例、プラスチック材又は発泡ポリエチレン材など）（５）を接着することでより安定させる、左右のあご紐を２本結んだときに両側の紐が左右逆三角形になり、より安定し強い風にも対応できる。
（ホ）補強材（５）は、内側に円弧にふくらんだ形で接着する。円弧状の頂上と補強材（３）の受け部（３ａ）が接するように設ける。
本発明は以上のような構造である。
【符号の説明】
【０００８】１．積層シート材（例、アルミ蒸着シート積層フィルムシートなど）
２．補強材（例、プラスチック材又は発泡ポリエチレン材など）
３．補強材（例、プラスチック材又は発泡ポリエチレン材など）
３ａ．補強材（例、プラスチック材又は発泡ポリエチレン材など）
４．あご紐（例、科学繊維又は天然繊維など）
５．補強材（例、プラスチック材又は発泡ポリエチレン材など）
【図１】
2012072529.tif 000003
【図２】
2012072529.tif 000004
【図３】
2012072529.tif 000005
(57)【要約】      （修正有）【課題】窓ガラスと網戸を接続一体化し低コスト網戸を提供する。【解決手段】窓ガラス等のガラスを二分割して下側のガラス９は固定にし,上側のガラス８は上下にスライドが出来るようにし、上側ガラス８の上部とカ−トリッジ５に収納されている虫除け網戸を接続させた。【選択図】図１
2012072608.tif 000002
【特許請求の範囲】
【請求項１】
窓や引き戸等のガラスを用いたサッシのガラスを上下に二分割し  下側のガラスは固定にして,上側のガラスは上下にスライドが出来るようにし  尚  上側のガラスの上部とスライドの出来る虫除け網を接続させた編み戸要らずサッシ。
【請求項２】
虫除け網取り替え用カ−トリッジとカ−トリッジ・ボックスを備え付けた編み戸要らずサッシ。
【請求項３】
サッシの外枠に雨除け用の庇を設置した編み戸要らずサッシ。
【発明の詳細な説明】
【技術分野】
【０００１】
本発明は窓ガラスを二分割し、下側のガラスは固定にし、上側のガラスは上下にスライドが出来るようにし  尚  上側のガラスの上部とスライドの出来る虫除け網を接続させた、網戸要らずサッシに関するものである。    
【背景技術】
【０００２】
従来  窓ガラス等の目的  １は室内の明かり取り  ２は室内の空気を入れ替えるための換気  ３は窓ガラス等を閉めることで雨風を阻止出来る  ４は侵入者阻止のために鍵を掛ける事は出来るが  網戸のように虫除けは出来ない。
また網戸の目的  上記１と２の目的は同じあるが  雨風を阻止する事は出来なし侵入者阻止用の鍵は網戸には役にたたない  そのために  窓ガラス等と網戸は別々に設けている。
また網戸サッシにガラス枠がスライドする（例えば非特許文献１）が知られている。
【先行技術文献】
【非特許文献】
【０００３】
【非特許文献１】「ＹＫＫ  通風ドアＷＥＢカタログＴＸＤ-０６０１８」ＹＫＫ株式会社
【発明の概要】
【発明が解決しようとする課題】
【０００４】
従来の窓ガラス等と網戸を別々に設ける事で次のような欠点がある  コストは高くつくし  材料も多く使うため省エネにもならない。
本発明は  以上の問題点を解決するために発明されたものである。
【課題を解決するための手段】
【０００５】
上記目的を解決するには  窓ガラス等のガラスを二分割して下側のガラスは固定にし,上側のガラスは上下にスライドが出来るようにし  尚  上側ガラスの上部とカ−トレッチに収納されている虫除け網戸を接続させたものである。
【０００６】
また  雨対策の手段として  サッシの外枠に庇を設けることにより  雨の降り込みを避けることもできる。
【発明の効果】
【０００７】
上述したように本発明の網戸要らずサッシは網戸と窓ガラスを合体することで鍵の問題解消と経費の削減となる。
【０００８】
熱帯期の室内湿度や異臭を軽減することが出来る。
【０００９】
庇を設けることで  雨の降り込みの心配もなくなる。
【発明を実施するための形態】
【００１０】
以下  本発明の実施の形態を図に基づいて説明する。
【００１１】
本発明の網戸要らずサッシは  図1窓ガラスのガラスを二分割８．９にし上側のガラス8と虫除け網6を接続させ上下にスライドも出来  尚  雨対策のために庇２を外枠1に設置する.
【００１２】
また  図３取り替え用カ−トレッジ5をカ−トレッジ・ボックス４に入れることで簡単に虫除け網の取り替えが出来る  このように便利な窓ガラス等の開発を提供する。
【図面の簡単な説明】
【００１３】
【図１】本発明の実施形態を示す窓サッシ断面図
【図２】同網戸要らずサッシを室内から見た断面図
【図３】同取り替え用カ−トリッジ断面図
【符号の説明】
【００１４】
１  外
２  庇
３  窓サッシ
４  カ−トリッジ・ボックス
５  虫除け網取り替え用カ−トリッジ
６  虫除け網
７  接続具
８  上下スライド・ガラス
９  固定  下ガラス
１０  虫除け網巻き取りロ−ラ
１１  ガイドロ−ラ
１２  虫除け網取り出し口
【図１】
2012072608.tif 000003
【図２】
2012072608.tif 000004
【図３】
2012072608.tif 000005
(57)【要約】【課題】昔から、人は自身の排泄物からでも、健康の状態を把握してきた。    今日の大便器には、多種多様の機能が付いているが、しかし、自身の排泄物を確認すること無く、流している。何故か、それは、便器に座ってしまえば排泄物が、見にくいからである。もともと、排泄物は健康のバロメイターであった。  その健康のバロメイターの排泄物を、いつでも便器に座ったままで、便器の外側から内側の排泄物を、確認出来る様にすること。【解決手段】        便座に座りながら、自身の排泄物を見ようと思えば、スイッチを入れるだけで開閉できる観察窓を付けることによって、自身の排泄物を外側から内側の排泄物を、見ることが出来、不要と思えば閉じることも、また、閉じたままでも利用できる。【選択図】図１
2012072640.tif 000002
【特許請求の範囲】
【請求項１】
洋式大便器に座ったままで、大便器の外側から、便器内側の排泄物が、見えて確認出来る窓が、付いている便器。
【請求項２】
洋式大便器に座ったままで、大便器の外側から、便器内側の排泄物が、見えて確認できる窓穴が、スイッチによって、いつでも開くことも、閉じておくことも、出来る窓穴が、付いている便器。
【請求項３】
洋式大便器に窓穴を開けて、その窓穴にプリズムを装着し、開閉可能な蓋の裏面に反射鏡を取り付け、これにより排泄物がプリズムを介して、確認鏡に写るようにしたことを特徴とする、健康見張り窓付き大便器。
【請求項４】
請求項１で、洋式大便器の見張り窓は、電磁気、または、電動モーターを活用し、スイッチ一つで、いつでも開くことも、閉じておくことも、自動開閉も出来、また、閉じたまま、使用することも出来る窓が付いている、健康見張り窓付き大便器。
【請求項５】
請求項１で、明るさの調整と消灯と点灯可能なランプを、大便器の中に付けることにより、便器内の排泄物をはっきり確認できる、健康見張り窓付き大便器。
【発明の詳細な説明】
【技術分野】
【０００１】
本発明は、トイレの便器に関するものである。
【背景技術】
【０００２】
便座に座りながら、排泄物を見ることが出来る観察窓を付けた技術。
【先行技術文献】
【特許文献】
【０００３】
【特許文献１】特開２００８―２８５９７８
【発明の概要】
【発明が解決しようとする課題】
【０００４】
今日の大便器には、多種多様の機能が付いている。しかし、自身の排泄物を確認すること無く、流している。何故か、それは、見にくいからである。
【課題を解決するための手段】
【０００５】
本発明は、  洋式大便器に座ったままで、大便器の外側から、便器内側の排泄物が、見えて確認出来る窓が、付いている便器である。これにより、便座に座りながら、排泄物を見ることが出来る観察窓を付けることによって、自身の排泄物を確認出来る。
【０００６】
請求項２に係る発明は、洋式大便器に座ったままで、大便器の外側から、便器内側の排泄物が、見えて確認できる窓穴が、スイッチによって、いつでも開くことも、閉じておくことも、出来る窓穴が、付いている便器である。
【０００７】
請求項３に係る発明は、洋式大便器に窓穴を開けて、その窓穴にプリズムを装着し、開閉可能な蓋の裏面に反射鏡を取り付け、これにより排泄物がプリズムを介して、確認鏡に写るようにしたことを特徴とする、健康見張り窓付き大便器である。
【０００８】
請求項４に係る発明は、請求項１で、洋式大便器の見張り窓は、電磁気、または、電動モーターを活用し、スイッチ一つで、いつでも開くことも、閉じておくことも、自動開閉も出来、また、閉じたまま、使用することも出来る窓が付いている、健康見張り窓付き大便器である。
【０００９】
請求項５に係る発明は、請求項１で、調整と点滅可能な、大便器の中にランプを付けることにより、便器内の排泄物をはっきり確認できる、健康見張り窓付き大便器で、請求項の発明によれば、暗いところでも内部を、はっきりと見ることが出来るようになる。
【発明の効果】
【００１０】
昔から、人は自身の排泄物からでも、健康状態を把握してきた。
【００１１】
本発明の健康見張り窓付き大便器によって、排泄物による自身の健康状態が容易に確認できる、効果がある。
【図面の簡単な説明】
【００１２】
【図１】健康見張り窓付き大便器の、断面図である。
【図２】窓取り付け部の拡大図である。
【発明を実施するための形態】
【００１３】
トイレの大便器に変わり、本発明の大便器を使用する。
【実施例】
【００１４】
図１に基づき本発明の実施例を明記する。
【００１５】
本実施例の便器は、洋式大便器２に座ったままで、大便器２の外側から、便器内側の排泄物７が、見えて確認出来る窓穴５が、前側面に付いている。
【００１６】
洋式大便器２に座ったままで、大便器２の外側から、便器内側の排泄物７が、見えて確認できる窓穴５が、スイッチによって、いつでも開くことも、閉じておくことも出来、手動スイッチでもいいし、電動スイッチでもいい、窓穴５が便器の前に付いている。
【００１７】
洋式大便器２に窓穴５を開けて、その窓穴５にプリズム４を装着し、開閉可能な蓋６の裏面に反射鏡８を取り付け、これにより排泄物７がプリズム４を介して、確認する為の鏡３に、光９が人に入射して写るようにしたことを特徴とする、健康見張り窓付き大便器。
【００１８】
本実施例では、洋式大便器２の見張り窓６は、電磁気、または、電動モーターを活用し、スイッチ一つで、いつでも開くことも、閉じておくことも、自動開閉も出来、また、閉じたまま、使用することも出来る窓が付いている。
【００１９】
手動の場合は外側に、とって11を設けておけばよい。
【００２０】
電動の場合は、図２の拡大図の電動開閉作動ロット12に示すように、電動開閉作動ロット12が見張り窓を電気で動かす。
【００２１】
本実施例では、明るさの調整と消灯と点灯可能なランプを、大便器の中にランプを付けることにより、便器内の排泄物７をはっきり確認できる。
【００２２】
ランプの消灯と点灯は、手動で行ってもよいが、自動的に窓が開くと同時に点灯と、窓を閉じると同時に消灯するようにしてもよい。
【００２３】
手動の場合はリモートコントロールで明るさの調整と点灯、消灯を行うようにしてもよい。
【産業上の利用可能性】
【００２４】
特に、病院などの利用が増える。
【符号の説明】
【００２５】
１  便器蓋
２  便器本体
３  確認鏡
４  プリズム
５  窓穴
６  見張り窓
７  排泄物
８  反射鏡
９  写体可視経路
１０  ランプ
１１  手動開閉とって
１２  電動開閉作動ロット
１３  パッキン
１４  床
【図１】
2012072640.tif 000003
【図２】
2012072640.tif 000004
(57)【要約】【課題】  本発明は網戸のストッパーを使用して、室内飼いの猫や犬などのペットが、網戸を開けて屋外へ出て行くことを防止する。【解決手段】  本発明は、あらかじめ家のガラス戸のサッシ部分に鉄片などの被磁着体を接着させておき、強力磁石のついたストッパー本体のフックを網戸枠にひっかけて、本体他端に設けた強力磁石をガラス戸のサッシ部分につけた鉄片などの被磁着体に接着させることにより、ペットが網戸を開けられなくなり、屋外に出ることを防止できる。【選択図】図２
2012072637.tif 000002
【特許請求の範囲】
【請求項１】
金属又は耐久性のプラスチック等の素材でできた取っ手付きのクランク型の一方の先端にフックを設け、他端に強力磁石を設けてストッパー本体を形成し、これをガラス戸のサッシ部分に取り付けた鉄片などの被磁着体に接着させて使用することを特徴とする網戸ストッパー。
【発明の詳細な説明】
【技術分野】
【０００１】  本発明は、室内飼いの猫や犬などのペットが、網戸を開けて屋外へ出ていくことを防ぐための、網戸の留め具に関するものである。
【背景技術】
【０００２】  従来、網戸に簡便に取り付けられる網戸の留め具が市販されていない。ガラス戸を開けて網戸にしておいたときに、猫や犬などのペットが網戸を開けて屋外に出ていって、いなくなるという問題があった。
【先行技術文献】
【特許文献】
【０００３】
【特許文献１】  特開  ２００３−０７４２７１  公報
【特許文献２】  特開  平１１−２９４０４４  公報
【発明の概要】
【発明が解決しようとする課題】
【０００４】  「網戸ロック」というものが発明されていたが、児童の目の高さに突起物があるため危険である（特許文献１）だけでなく、美的でない構造（特許文献１）である。また、取り付けに工具を必要とするため、誰にでも簡単に設置出来ない。（特許文献２）更に左側に網戸を設置した場合、ガラス戸の開け幅が自由にできない。（特許文献２）
本発明は、以上の問題点を解決するためになされたものである。
【課題を解決するための手段】
【０００５】金属又は耐久性のプラスチック等の素材でできた取っ手付きのクランク型の一方の先端にフックを設け、他端に強力磁石を設けてストッパー本体を形成し、これをガラス戸のサッシ部分に取り付けた鉄片などの被磁着体に接着させて使用する。
本発明は、以上を特徴とする網戸ストッパーである。
【発明の効果】
【０００６】  本発明の設置は、両面テープ等で鉄片をガラス戸のサッシに付けるだけなので、工具無しで簡単にでき、使用方法もストッパー本体のフックを網戸に引っかけて、ストッパー本体に附属する磁石を鉄片に付けるだけなので、ワンタッチでストッパーの取り付け、取り外しができる。また、児童の目の高さに突起物が無いため、安全に使用出来る。
更に、網戸を左右どちらに設置しても、ガラス戸の開け幅は自由に調整可能である。
現在使用している網戸に本発明を付けて使用出来るため、高価なロックつき網戸に買い換える必要がなく、犬や猫などのペットが屋外に出ることを防ぐことが出来る。
【図面の簡単な説明】
【０００７】
【図１】本発明の一部分である鉄片の斜視図
【図２】本発明のストッパー本体の斜視図
【図３】本発明の伸縮型ストッパーの斜視図
【発明を実施するための形態】
【０００８】  以下、本発明の実施の形態を説明する。
金属又は耐久性のプラスチック等の素材でできた取っ手（９）付きのクランク型ストッパー本体（７）の一方の先端にフック（２）を設け、他端に強力磁石（３）を設けてストッパー本体（７）を形成し、これをガラス戸のサッシ部分に取り付けた鉄片（１）などの被磁着体に接着させて使用する。
【実施例】
【０００９】  本発明は、以上のような構成であり、これを実際に使用する時は、家のガラス戸のサッシはアルミ製で磁石がつかないため、あらかじめストッパー本体（７）の使用場所に鉄片（１）を強力両面テープ（６）で接着させておく。ストッパー本体（７）を使用するときは、フック（２）を網戸枠にひっかけて、強力磁石（３）をガラス戸のサッシの鉄片（１）に接着させて使用する。ストッパー本体（７）の取り付け取り外しを簡単に行うために取っ手（９）を設ける。ストッパー本体（７）は必要に応じて複数個使用可能である。
網戸のメーカーにより網戸枠の幅が異なる場合には、ストッパー本体の中央部にスリット（５）を有するものを組み合わせて、調節ネジ（４）で長さを調節する伸縮型ストッパー（８）に変形することも可能である。
なお、鉄片（１）を接着するものとして両面テープ（６）の代わりに接着剤も使用可能である。
本発明を使用することにより、犬や猫などのペットが屋外に出ることを防ぐことが出来る
【符号の説明】
【００１０】１  鉄片
２  フック
３  強力磁石
４  調節ネジ
５  スリット
６  両面テープ
７  ストッパー本体
８  伸縮型ストッパー
９  取っ手
【図１】
2012072637.tif 000003
【図２】
2012072637.tif 000004
【図３】
2012072637.tif 000005
(57)【要約】      （修正有）【課題】ＩｎとＳｎの混合物からＩｎを選択的に浸出するに際し、より効率的に浸出できる方法を見出す。【解決手段】ＩｎとＳｎの混合物を、有機スルホン酸で浸出することにより、ＩｎとＳｎの分離性を高め、Ｉｎを選択的に回収する。有機スルホン酸がメタンスルホン酸であり、酸浸出のｐＨが１．０から２．５で、さらに、ＩｎとＳｎの混合物が、ＩＴＯスクラップから作製した水酸化Ｉｎと水酸化Ｓｎの混合物であることが好ましい。【選択図】図１
2012072480.tif 000002
【特許請求の範囲】
【請求項１】
ＩｎとＳｎの混合物からＩｎを選択的に回収するに際し、有機スルホン酸で浸出することを特徴とするＩｎの選択的回収方法。
【請求項２】
請求項（１）において、有機スルホン酸がメタンスルホン酸であることを特徴とするＩｎの選択的回収方法。
【請求項３】
請求項（１）或は（２）の何れかの記載において、酸浸出のｐＨが１．０から２．５であることを特徴とするＩｎの選択的回収方法。
【請求項４】
請求項（１）或は（３）の何れかの記載において、ＩｎとＳｎの混合物がＩＴＯから作製した水酸化Ｉｎと水酸化Ｓｎの混合物であることを特徴とするＩｎの選択的回収方法。
【発明の詳細な説明】
【技術分野】
【０００１】  この発明は、ＩｎとＳｎの混合物からのＩｎの選択的回収方法に関する。
【背景技術】
【０００２】  ＩＴＯに代表されるＩｎとＳｎの混合物からＩｎを選択的に分離する方法に関しては、溶媒抽出や酸浸出があり、特に酸浸出は定法で、それに用いられる酸は、塩酸、硫酸、硝酸等の無機酸がよく用いられる。【０００３】  例えば、特開２０００−１６９９９１号（特許文献１）では、ＩＴＯを塩酸で溶解し、これにアルカリを加えてｐＨが０．５〜４となるようにして、スズを水酸化物として除去し、次に硫化水素ガスを吹き込み銅、鉛等の有害物として除去し、次いでこの溶解液を用いて電解によってインジウムメタルを電解採取する技術がある。
この技術も精製工程が複雑であるという問題がある。【０００４】  上記それぞれ酸の特徴に関しては、
塩酸は、分離性は良好だが、腐食性が強く耐食性材質の使用や排ガス対策が必要で量産設備ではコストがかかる。
硫酸は、塩酸より耐食性が弱く材質に不安は無いが分離性自体が良くないためプロセスがリターンなどで複雑になる。
硝酸は、分離性は硫酸より良いが、Ｎ系の排水処理の対応が必要であり、コスト面・環境面で問題である。【０００４】
【特許文献１】特開２０００−１６９９９１号  高純度インジウムの回収方法  同和鉱業
【発明の開示】
【発明が解決しようとする課題】
【０００５】  本発明は、上記酸の問題点を解決する、ＩｎとＳｎの混合物からＩｎを選択的に浸出し、回収する方法を見出すことである。
【課題を解決するための手段】
【０００６】  以上の課題を解決するために以下の発明をなした。
（１）  ＩｎとＳｎの混合物からＩｎを選択的に回収するに際し、有機スルホン酸で浸出するＩｎの選択的回収方法。
（２）  上記（１）において、有機スルホン酸がメタンスルホン酸であるＩｎの選択的回収方法。【０００７】（３）  上記（１）或は（２）の何れかの記載において、酸浸出のｐＨが１．０から２．５であるＩｎの選択的回収方法。
（４）  上記（１）或は（３）の何れかの記載において、ＩｎとＳｎの混合物がＩＴＯから作製した水酸化Ｉｎと水酸化Ｓｎの混合物であることを特徴とするＩｎの選択的回収方法。
【発明の効果】
【０００８】  本発明により以下の効果を得ることが出来る。
（１）有機スルホン酸で浸出することで、ＩｎとＳｎの分離性が良好である。
（２）この液は、上記無機酸と比較して腐食性は少ない。
（３）酸としての単価は高いが、再利用することで十分対応できる。
（４）このろ過液を用いて、高品位Ｉｎを作ることも可能である。
（５）ろ液にＺｎやＩｎを投入してセメンテーション等で粗Ｉｎを回収して、その後、電解採取や電解精製で精製Ｉｎを得ることが可能である。
【図面の簡単な説明】
【０００９】
【図１】  本発明の一態様である処理フロー
【発明を実施するための最良の形態】
【００１０】  本発明の処理対象物は、ＩｎとＳｎの混合物である。  例えば、ＩＴＯ（ＩｎとＳｎとの混合した酸化物）のスクラップから製造したＩｎ水酸化物とＳｎ水酸化物の混合物、Ｉｎ硫化物とＳｎ硫化物の混合物であり、その混合比率は、０．５：９．５から３：７等の比率からなる。【００１１】  有機スルホン酸が、塩酸と同等の分離能を有してかつ、設備材質の腐食に有利であることを発見した。
有機スルホン酸として、メタンスルホン酸、アミノエタンスルホン酸、ベンゼンスルホン酸等あるが特に、メタンスルホン酸が好ましい。【００１２】  メタンスルホン酸での浸出時、処理温度は室温で問題ない。もちろん高温でも同等の結果が得られる。【００１３】  浸出液のｐＨは、１．０から２．５、好ましくは１．５から２．０が良い。ｐＨが１．０より低いと、Ｓｎの溶解が発生して分離性が悪くなる。ｐＨが２．５より高いと、分離性は問題ないが、Ｉｎの溶解性が下がり、ろ液中のＩｎ量が少なくなる。
つまり、Ｉｎを全量回収するためには、ろ過澱物からのＩｎの再回収するプロセスを追加することになり工程が煩雑になる。
【実施例】
【００１４】以下に実施例を示すが、限定されるものではない。
【実施例１】ｐＨ＝２．０、２０℃で処理
ＩＴＯのスクラップから製造したＩｎ水酸化物（約９００ｇ）とＳｎ水酸化物（約１００ｇ）の混合物１ｋｇを純水約７Ｌでリパルプした。  該処理物をメタンスルホン酸でｐＨを２．０に調整してから全量を１０Ｌとして、酸浸出を室温（２０℃）で１０時間処理した。
ヌッチェ真空ろ過にて固液分離を行い、約１０Ｌのろ過液を得た。
その液の分析をしたところ、Ｉｎは５０ｇ／Ｌ、Ｓｎは１０ｍｇ／Ｌ以下、Ｉｎ／Ｓｎ比≧５０００となり、選択的にＩｎを溶出できた。
【実施例２】
【００１５】ｐＨ＝１．０で処理
酸浸出のｐＨを１．０とした以外、実施例１と同様に処理した。
ろ過液の分析は、Ｉｎが５０ｇ／ＬでＳｎが１０ｍｇ／Ｌ以下、Ｉｎ／Ｓｎ比≧５０００となり、選択的にＩｎを溶出できた。
【実施例３】
【００１６】ｐＨ＝２．５で処理
酸浸出のｐＨを２．５とした以外、実施例１と同様に処理した。ろ過液の分析は、Ｉｎが５０ｇ／ＬでＳｎが１０ｍｇ／Ｌ以下、Ｉｎ／Ｓｎ比≧５０００となり、選択的にＩｎを溶出できた。
【実施例４】
【００１７】浸出温度  ５０℃
酸浸出の温度を５０℃とした以外、実施例１と同様に処理した。ろ過液の分析は、Ｉｎが５０ｇ／ＬでＳｎが１０ｍｇ／Ｌ以下、Ｉｎ／Ｓｎ比≧５０００となり、選択的にＩｎを溶出できた。
実施例１の２０℃と同じ結果となった。よって、高温にする必要は無いと思われる。【００１８】（比較例１）ｐＨ＝０．５で処理
酸浸出のｐＨを０．５とした以外、実施例１と同様に処理した。ろ過液の分析は、Ｉｎが５０ｇ／ＬでＳｎが８０ｍｇ／Ｌ、Ｉｎ／Ｓｎ比＝６２５となった。ろ液にＳｎも溶出してしまい、分離が不十分であった。【００１９】（比較例２）ｐＨ＝３．０で処理
酸浸出のｐＨを３．０とした以外、実施例１と同様に処理した。ろ過液の分析は、Ｉｎが３０ｇ／ＬでＳｎが１０ｍｇ／Ｌ以下、Ｉｎ／Ｓｎ比≧３０００となり、Ｓｎは分離できたが、Ｉｎの溶出量が少なく回収率が低くなった。
【図１】
2012072480.tif 000003
(57)【要約】【課題】    従来の水中ポンプの，羽根車と，その下にあるカバ−との間に，スキ間が，あり，そこを通る水の中の，夾雑物が詰まり，故障の原因になっている。【解決手段】羽根車と，その下のカバ−を，一体にして，スキ間のない，構造にしたものである。これにより，いままでのような，詰まりがなくなりました。【選択図】図１
2012087771.tif 000002
【特許請求の範囲】
【請求項１】
水中ポンプの部品である，羽根車（１）と，その下のカバ−（２）を，一体にした，羽根車（３）を，使用した，水中ポンプである。
【発明の詳細な説明】
【技術分野】
【０００１】この発明は，水中ポンプの羽根車と，その下にあるカバ−に，関するものである。
【背景技術】
【０００２】従来，羽根車と，その下のカバ−は，個々の部品でした。
【先行技術文献】
【０００３】
【発明の概要】
【発明が解決しようとする課題】
【０００４】これは次のような欠点があった。
従来，羽根車と，その下のカバ−との間に，スキ間のある，構造のものがあった。
その為に，流入する水に，混入している夾雑物が，このスキ間に詰まり，ポンプの故障の原因になっていました。本発明は，以上のような欠点をなくしたものです。
【課題を解決するための手段】
【０００５】羽根車（１）と，その下カバ−（２）を一体にして，羽根車（３）とする。
本発明は，羽根車（３）を使用して，組み立てた，水中ポンプである。
【発明の効果】
【０００６】羽根車と，その下のカバ−が，一体になったことにより，スキ間がなくなり，詰まらなくなりました。
【図面の簡単な説明】
【０００７】
【図１】本発明の羽根車（３）の断面図である。
【図２】従来の羽根車（１）と，その下のカバ−（２）の断面図である。
【発明を実施するための形態】
【０００８】以下，本発明を実施するための形態について説明する。
従来，羽根車（１）と，その下のカバ−（２）を，個々の部品として，組み立てていました。羽根車（３）を，使用すれば，一度の組み立てで，済みます。
【符号の説明】
【０００９】１  羽根車
２  その下のカバ−
３  羽根車
【図１】
2012087771.tif 000003
【図２】
2012087771.tif 000004
(57)【要約】      （修正有）【課題】小型軽量・軽自動車に２ストロークエンジン構造と電子操作を提供する。その製造において低コストと効率的な費用対効果において地球温暖化防止対応の解決を図る。【解決手段】２ストロークエンジンを小型の軽量エンジン装置の最大効果で燃料の消費量の削減・二酸化酸素の削減を図る。【選択図】なし【特許請求の範囲】
【請求項１】
２ストロークエンジン自動車は、高エンジン効率を充足とした吸気・排気ガスの混合回避とその製造方法を特徴とする。
【請求項２】
２ストロークエンジン自動車装置による低炭素技術を特徴とする。
【請求項３】
２ストロークエンジン自動車の構造システムは、生産工程において、汎用性の開発の追求を可能とし、更なるシステムの確立を図ることを特徴とする。
【請求項４】
上記記載の請求項１，２，３において、本発明趣旨を逸脱しない範囲の変更は、本発明に含まれる。
【発明の詳細な説明】
【技術分野】
【０００１】本発明は、自動車の構造が簡単で小型・軽量化のニーズから、省燃費でクリーンなパワフルな出力の２ストロークエンジン自動車の分野に関するものである。【０００２】小型・軽量自動車の製造コストが低く、かつ単純構造ではあるが、大きな出力を特徴とする。更に、本発明の２ストロークエンジンシステム構造は、電子操作を特徴とする。
【背景技術】
【０００３】上記記載の２ストロークエンジン自動車は、公知広報に関するものであり、二酸化炭素濃度が高まる現在、世界中が二酸化炭素の削減、低炭素の研究開発に取り組んでいる。しかし、実現化達成にいたっておらず、二酸化炭素濃度が高まっている。【０００４】大容量の排ガスから二酸化炭素の吸収、回収に費用対効果において困難である中において本発明の２ストロークエンジン自動車の製造によって、その目的を有したことを特徴とする。
【発明の開示】
【発明が解決しようとする課題】
【０００５】現在、二酸化炭素を含むガスから二酸化炭素の発生、回収技術に満足な期待がされず、実用技術は未完成である。用いられている技術は、経済上および環境上に難点がある。【０００６】本発明の２ストロークエンジン自動車は、大気中に排出される二酸化炭素を放出する前の技術に関するものであり、製法として、高エンジン効率を充足とした吸気・排気ガスの混合回避を特徴とする。【０００７】上記課題を鑑みるに、以上の欠点を解決し、低コストと効率的な費用対効果面において二酸化炭素の削減技術とその方法により、環境保全に貢献できるためになされ、その、解決提案を目的とする。
【課題を解決するための手段】
【０００８】前記目的を解決する手段として、小型の軽量エンジン装置の最大利用することで燃料の消費量の削減・二酸化炭素の削減を特徴とする。【０００９】上記においての２ストロークエンジンは、構造を対称製造は、サイクルの吸気・排気部分の吸気・排気ガスのサイクル方法は自然環境に極めて有益な、その、二酸化炭素の削減効果の活用を特徴とした。
【発明の効果】
【００１０】本発明の２ストロークエンジン自動車の装置は、上記によって、低炭素技術を特徴とし、地球の温暖化を防ぎ、地球環境保全に寄与する。【００１１】本発明は、極めて環境汚染防止に有益であり、小型装置は、軽量化されることから、燃費においても経済効果が得られ環境浄化に取り組むことができる。【００１２】本発明の製造導入装置は、省資源化が達成でき、製作工程に継続的確保が出来、安定供給が可能である。【００１３】本発明の２ストロークエンジン自動車の構造システムは、更なる汎用性開発の追求を必須とする。【００１４】本発明の２ストロークエンジン自動車の製造技術は、公知の従来技術を要し、よって、先進的な低炭素、環境浄化に取組み社会に貢献する。
【発明を実施するための最良の形態】
【００１５】本発明の２ストロークエンジン自動車の組み立てコストを最小限とし、部品交換を容易にすることからモジュール化構造を可能とした２ストロークエンジン自動車を特徴とする。【００１６】本発明の２ストロークエンジン自動車は、公知広範囲の４ストロークエンジン自動車のパワーを越えたクリーンな燃焼を特徴とする。【００１７】上記記載の２ストロークエンジンを導入することで、前述で説明なされない種々の改善によって最良の形態をなし得る。【００１８】この実施例については、二酸化炭素の削減、低炭素装置に関する技術を特徴する。
【産業上の利用可能性】
【００１９】２ストロークエンジン自動車の製造に関する。２ストロークサイクルエンジン効果は、小型車・軽自動車を中心とした可能性を追求する。【００２０】本装置は、構造が簡単・軽量・大きな出力・省燃費でパワフルなエンジン開発に関わり、低コスト量産体制が可能な２ストロークエンジン自動車を提供することで、産業上の利用可能性を有する。